(57)【要約】【課題】  単一の簡単な機構にて座部を前方に移動させたスライド状態と前方に起立させたタンブル状態とに選択的に切り換え可能なシート支持構造を提供する。【解決手段】  シート１の座部２を標準位置から前方に移動させて支持したスライド状態と座部２を前方に立てたタンブル状態とに任意に切り換え可能なシート支持構造であって、上段フロア５上で一端が回動自在に支持された回動レバー１４と、座部２の下面に基端１１ａが回動自在に枢支された支持脚１１とを備え、座部２を標準位置に設置した状態で、回動レバー１４が座部２の下面に沿って後方に向けて延出され、支持脚１１が座部２の下面に沿って前方に向けて延出され、かつその状態で回動レバー１４の他端を支持脚１１の基端１１ａから前方に離れた位置に回動自在に連結した。【選択図】        図１
2005335490.tif 000002
【特許請求の範囲】
【請求項１】
シートの座部を標準位置から前方に移動させて支持したスライド状態と座部を前方に立てたタンブル状態とに任意に切り換え可能なシート支持構造であって、フロア上で一端が回動自在に支持された回動レバーと、座部の下面に基端が回動自在に枢支された支持脚とを備え、座部を標準位置に設置した状態で、回動レバーが座部の下面に沿って後方に向けて延出され、支持脚が座部の下面に沿って前方に向けて延出され、かつその状態で回動レバーの他端を支持脚の基端から前方に離れた位置に回動自在に連結したことを特徴とするシート支持構造。
【請求項２】
支持脚を座部の下面に沿った状態に向けて回動付勢する弾性部材を設けたことを特徴とする請求項１記載のシート支持構造。
【発明の詳細な説明】
【技術分野】
【０００１】
本発明はシート支持構造に関し、特にシートの座部を前方に移動させて支持したスライド状態と座部を前方に立てたタンブル状態とに任意に切り換え可能なシート支持構造に関するものである。
【背景技術】
【０００２】
従来、座部を移動可能なシート構造としては、図６（ａ）に示すように、リヤシート２１の座部２２を標準位置に設置した状態から、図６（ｂ）に示すように、座部２２を前方に立てたタンブル状態とし、さらに図６（ｃ）に示すように、背もたれ部２３を前方に倒してリヤシート２１の後方の荷室スペース２４を前方に拡張した状態にできるようにしたものが知られており、その場合座部２２はその前端部下面を枢支部２５にて回動自在に支持し、背もたれ部２３の下端を支軸２６回りに回動自在に支持した構成とされている。
【０００３】
また、座部を、標準位置から前部を上方に持ち上げた傾斜状態と、座部の後部を上方に持ち上げて前方に立てたタンブル状態とに切り換え可能な支持構造として、回動レバーの一端を座部の前端下方位置でフロア上に回動自在に支持し、回動レバーの他端を座部の下面の前後方向中間部に回動自在に連結したものが知られている（例えば、特許文献１参照。）。
【０００４】
また、収納ボックスに収納した補助シートを、収納ボックスの開口部一側に配設した枢支部回りに略１８０°回動させて取り出すように構成するとともに、その取り出し操作に連動して、補助シート上に倒伏させて収納していた支持脚をリンク機構により支持可能な状態に自動的に起立させるように構成したものも知られている（例えば、特許文献２参照。）。
【特許文献１】特開２００３−３４１６６号公報
【特許文献２】特開２００２−２２５６０４号公報
【発明の開示】
【発明が解決しようとする課題】
【０００５】
ところが、上記図６や特許文献１に開示された構成は、座部をタンブル状態まで移動させるための機構が示されているだけであり、また特許文献２に開示された構成も、補助シートの取り出しに連動して支持脚を起立させる機構が示されているだけである。したがって、座部を標準位置から前方に移動させて支持脚にて支持したスライド状態と、座部を前方に立てたタンブル状態とに選択的に切り換え得るようにするという要請に対して、これらの機構では対応することができないという問題がある。
【０００６】
本発明は、上記従来の問題点に鑑み、単一の簡単な機構にてスライド状態とタンブル状態とに選択的に切り換え可能なシート支持構造を提供することを課題とする。
【課題を解決するための手段】
【０００７】
本発明のシート支持構造は、シートの座部を標準位置から前方に移動させて支持したスライド状態と座部を前方に立てたタンブル状態とに任意に切り換え可能なシート支持構造であって、フロア上で一端が回動自在に支持された回動レバーと、座部の下面に基端が回動自在に枢支された支持脚とを備え、座部を標準位置に設置した状態で、回動レバーが座部の下面に沿って後方に向けて延出され、支持脚が座部の下面に沿って前方に向けて延出され、かつその状態で回動レバーの他端を支持脚の基端から前方に離れた位置に回動自在に連結したものである。
【０００８】
この構成によると、座部をほぼ水平姿勢に維持した状態で回動レバーを前方に回動させつつ標準位置から前方に移動させることで、座部を前方に移動させた状態で支持脚が起立し、座部を前方に移動させて支持したスライド状態とすることができ、また支持脚及び回動レバーを座部の下面に沿わせた状態で座部を起立させることで、さらに必要に応じてその姿勢で回動レバーを回動させつつ座部を支持脚とともに前方下方に移動させることで座部をタンブル状態にすることができる。したがって、回動レバーと支持脚から成る単一の簡単な機構を設けるだけで、座部を前方に移動させて支持するスライド状態と座部を前方で起立させるタンブル状態とに選択的に切り換えることができる。
【０００９】
また、支持脚を座部の下面に沿った状態に向けて回動付勢する弾性部材を設けると、タンブル状態にするときに、むやみに支持脚が出ようとする動きを抑えることができ、またスライド状態から復帰する際には支持脚を座部に沿った格納姿勢に付勢されることで、使い勝手が向上する。
【発明の効果】
【００１０】
本発明によれば、回動レバーと支持脚から成る単一の簡単な機構を設けるだけで、座部を前方に移動させて支持するスライド状態と座部を前方で起立させるタンブル状態とに選択的に切り換えることができ、機構的にもコスト的にも有利な構成にてシートの多彩の使用形態を実現することができる。
【発明を実施するための最良の形態】
【００１１】
以下、本発明のシート支持構造の一実施形態について、図１〜図５を参照して詳細に説明する。
【００１２】
図１、図２において、１はシートで、前方に移動可能に支持された座部２と前方に倒伏可能に下端部が枢支された背もたれ部３にて構成されており、下段フロア４と上段フロア５を有する車両の上段フロア５上に配設されている。座部２はその下面近傍に座部フレーム６を有しており、その両側に一対のブラケット７が下方に向けて突出させて設けられている。これらブラケット７、７間にわたって支持軸８が架設されている。一対の揺動ブラケット９が支持軸８に回動自在に嵌合され、これら揺動ブラケット９、９に略Ｕ字状に曲げ加工したパイプ材１０の両端部が溶接にて一体固着されて支持脚１１が構成されている。こうして、座部２の下面に支持脚１１の基端１１ａが回動自在に枢支されている。
【００１３】
上段フロア５の前端面５ａの上部には、支持脚１１の幅寸法よりも狭い間隔をあけて一対の枢支ブラケット１２が締結固定されている。この枢支ブラケット１２の上端の枢支部１３にて回動レバー１４の一端が回動自在に枢支されている。また、支持脚１１にはその基端１１ａから適当距離離れた位置に連結ブラケット１５が下方に向けて突設され、この連結ブラケット１５にて回動レバー１４の遊端側の他端が回動自在に支持されている。回動レバー１４は、具体的には金属棒材を略Ｕ字状に曲げ加工して構成され、直線状に形成した中間の折り返し部が枢支部１３にて回動自在に支持され、両遊端部が外向きにＬ字状に折り曲げられ、その折り曲げ軸部が連結ブラケット１５にて回動自在に支持されている。
【００１４】
また、図１（ｂ）に示すように、支持軸８の周囲に外嵌配置したねじりコイルばねなどの弾性部材１６の両端が座部フレーム６から垂設したブラケット７と揺動ブラケット９とにそれぞれ係合され、支持脚１１を座部２の下面に沿った姿勢に向けて付勢するように構成されている。なお、弾性部材１６としては、上記ねじりコイルばねに限定されるものではなく、例えば支持脚１１の中間部と座部２の下面との間に引張コイルばねを介装しても良い。
【００１５】
また、図１（ａ）に示すように、下段フロア４には、支持脚１１の下端を受け入れて係合保持する係合保持部１７が配設され、座部２の下面後部と上段フロア４には、座部２を前方に移動させたスライド状態で、相互に係合して座部２の浮き上がりを防止する被係合部材１８ａと係合部材１８ｂが配設されている。
【００１６】
以上の本実施形態の構成によれば、図１に示した標準位置から座部２を移動させるだけで、図３に示すように座部２を前方移動させたスライド状態と、図４に示すように座部２を前方に立てたタンブル状態の何れにでも選択的に転換することができる。
【００１７】
座部２をスライド状態にする場合には、図３（ａ）に示すように、座部２を標準位置からほぼ水平姿勢に維持した状態で回動レバー１４を前方に回動させつつ前方に移動させる。すると、座部２の前方移動に伴って支持脚１１が弾性部材１６の付勢力に抗して起立して行き、図３（ｂ）に示すように、座部２が前方に移動した状態で支持脚１１の下端が下段フロア４に当接し、座部２の前部が支持脚１１を介して下段フロア４にて支持された状態となる。
【００１８】
このスライド状態で、支持脚１１の下端を下段フロア４に設けた係合保持部１７に係合保持させることで、座部２を安定して支持できる。また、上段フロア５上に設けた係合部１８ｂに座部２の後部の被係合部材１８ａを係合させることで、支持脚１１を弾性部材１６にて復帰付勢しても、その反力で座部２の後部が浮き上がるのを防止できる。また、座部２をこのスライド状態から標準位置に復帰する際に、支持脚１１が弾性部材１６にて付勢されているので、支持脚１１が自動的にかつ円滑に座部２に沿った格納姿勢に復帰するので、操作性が良い。
【００１９】
座部２をタンブル状態にする場合には、図４（ａ）に示すように、支持脚１１及び回動レバー１４を座部２の下面に沿わせた状態で座部２を起立させることで、座部２をタンブル状態にすることができる。また、前方に空間がある場合には、さらに引き続いて座部２の起立姿勢を保持しつつ回動レバー１４を回動させて座部２を支持脚１１とともに前方下方に移動させることで、図４（ｂ）に示すようなタンブル状態にすることができる。このタンブル状態にする際に、支持脚１１を座部２の下面に沿った状態に向けて回動付勢する弾性部材１６を設けているので、むやみに支持脚１１が出ようとする動きを抑えることができ、操作性が良い。
【００２０】
かくして、本実施形態のシート支持構造によれば、回動レバー１４と支持脚１１から成る単一の簡単な機構を設けるだけで、図１（ａ）及び図５（ａ）に示すように、座部２を標準位置に設置した通常の使用形態と、図３（ｂ）及び図５（ｂ）に示すように、座部２を前方に移動させて支持したスライド状態として座部２と上段フロア５にて広い座席スペースを形成した使用形態と、さらに図５（ｃ）に示すように、背もたれ部３を前方に倒伏させてシート１の後部の荷室フロア１９と連続した広大なスペースを形成した使用形態と、図４（ｂ）に示すように、座部２を前方に立てたタンブル状態にし、背もたれ部３と上段フロア５と座部２の下面で広い凹空間を形成する使用形態と、さらに図５（ｄ）に示すように、背もたれ部３を倒伏させて座部２の下面位置まで荷室フロア１９と連続した広大なスペースを形成した使用形態など、多彩な使用形態に展開することができる。
【産業上の利用可能性】
【００２１】
本発明のシート支持構造は、座部を前方に移動させて支持するスライド状態と座部を前方で起立させるタンブル状態とに選択的に切り換えることができ、機構的にもコスト的にも有利な構成にてシートの多彩の使用形態を実現することができるので、各種自動車のシートに有用である。
【図面の簡単な説明】
【００２２】
【図１】本発明のシート支持構造の一実施形態を示し、（ａ）は概略構成を示す側面図、（ｂ）は（ａ）のＡ部拡大詳細図である。
【図２】同実施形態の座部と支持構造のフレーム構成を示す斜視図である。
【図３】同実施形態の座部をスライド状態にする際の動作説明図である。
【図４】同実施形態の座部をタンブル状態にする際の動作説明図である。
【図５】同実施形態のシートにおける各種使用形態の説明図である。
【図６】従来例のシートにおける各種使用形態の説明図である。
【符号の説明】
【００２３】
１  シート
２  座部
５  上段フロア
１１  支持脚
１１ａ  基端
１３  枢支部
１４  回動レバー
１６  弾性部材
【図１】
2005335490.tif 000003
【図２】
2005335490.tif 000004
【図３】
2005335490.tif 000005
【図４】
2005335490.tif 000006
【図５】
2005335490.tif 000007
【図６】
2005335490.tif 000008